(57)【要約】【課題】シール構造部分での脱落防止と作業性向上とを図ることが可能な樹脂成型品と、この樹脂成型品を含む防水シールドコネクタとを提供する。【解決手段】樹脂成型品１は、一部品からなるものであって、ポリフェニレンサルファイド（ＰＰＳ）樹脂を用いて全体が成型されている。樹脂成型品１は、筒形状の樹脂成型品本体部２と、この樹脂成型品本体部２の端末に一体成型されるシール部３とを有している。シール部３は、固定対象４に対するシール構造部分であって、固定対象４に貫通する穴５を一周囲む環状の面シールの部分に形成されている。シール部３は、穴５の周囲に押し付けられて密着した状態になると、外部からの水分や油分の浸入を防止することができるようになっている。【選択図】図１
2013143221.tif 000002
【特許請求の範囲】
【請求項１】
固定対象とのシール構造部分として機能するシール部が樹脂成型品本体部に一体化する構造であり、使用する樹脂材料がポリフェニレンサルファイド（ＰＰＳ）樹脂である
ことを特徴とする樹脂成型品。
【請求項２】
請求項１に記載の樹脂成型品において、
前記シール部が環状の面シールの部分として形成されるとともに、前記樹脂成型品本体部がコネクタハウジング本体として形成される
ことを特徴とする樹脂成型品。
【請求項３】
請求項１又は２に記載の樹脂成型品であるコネクタハウジングと、導電路の端末に設けられる端子金具と、前記コネクタハウジングの外側に設けられるとともに固定対象に前記コネクタハウジングを押し付けるように固定されるシールドシェルとを含む
ことを特徴とする防水シールドコネクタ。
【発明の詳細な説明】
【技術分野】
【０００１】
本発明は、樹脂成型品と、この樹脂成型品を含む防水シールドコネクタとに関する。
【背景技術】
【０００２】
ハイブリッド自動車や電気自動車には、モータやインバータ、高圧のバッテリなどが搭載されている。これら機器同士を電気的に接続するためとして、高圧のワイヤハーネスが用いられている。高圧のワイヤハーネスは、導電路としての複数の高圧電線と、この複数の高圧電線を覆ってシールドする導電性の電磁シールド部材と、機器に対する電気的な接続部分としての防水シールドコネクタとを含んで構成されている。防水シールドコネクタは、複数の高圧電線の端末部分に設けられている。
【０００３】
防水シールドコネクタは、複数の高圧電線の各端末に設けられる導電性の端子金具と、この端子金具をそれぞれ収容する端子収容室を有する絶縁性のコネクタハウジングと、コネクタハウジングの外側に設けられる導電性のシールドシェルと、電磁シールド部材の端末をシールドシェルの所定位置に加締め固定するためのシールドリングと、防水用として設けられる面シールパッキンとを含んで構成されている。
【０００４】
面シールパッキンは、シールドシェルを機器に固定する際にシールドケースに押し付けられ、これによりシールすることができるようになっている。面シールパッキンは、環状となる形状に形成されており、コネクタハウジング端末の環状溝に挿入されるようになっている。面シールパッキン及び環状溝は、水分等の浸入を防止するためのシール構造部分として設けられている。
【先行技術文献】
【特許文献】
【０００５】
【特許文献１】特開２０１０−２４４９７６号公報
【発明の概要】
【発明が解決しようとする課題】
【０００６】
ところで、上記従来技術の防水シールドコネクタにあっては、面シールパッキンを単なる環状の形状に形成するとともに、コネクタハウジングの環状溝も単なる環状の溝形状に形成した場合、面シールパッキンが環状溝から脱落してしまうという虞を有している。この対策として、面シールパッキン及び環状溝に脱落防止構造を付加することが考えられるが、脱落防止構造を付加する場合、面シールパッキン及び環状溝の構造が複雑になってしまうという問題点を有している。
【０００７】
また、上記従来技術の防水シールドコネクタにあっては、多くの構成部品からなり、例えば面シールパッキンを環状溝に挿入する作業等が必要になることから、防水シールドコネクタをＡＳＳＹするには手間が掛かってしまうという問題点を有している。
【０００８】
本発明は、上記した事情に鑑みてなされたもので、シール構造部分での脱落防止と作業性向上とを図ることが可能な樹脂成型品と、この樹脂成型品を含む防水シールドコネクタとを提供することを課題とする。
【課題を解決するための手段】
【０００９】
上記課題を解決するためになされた請求項１に記載の本発明の樹脂成型品は、固定対象とのシール構造部分として機能するシール部が樹脂成型品本体部に一体化する構造であり、使用する樹脂材料がポリフェニレンサルファイド（ＰＰＳ）樹脂であることを特徴とする。
【００１０】
請求項２に記載の本発明の樹脂成型品は、請求項１に記載の樹脂成型品に係り、前記シール部が環状の面シールの部分として形成されるとともに、前記樹脂成型品本体部がコネクタハウジング本体として形成されることを特徴とする。
【００１１】
上記課題を解決するためになされた請求項３に記載の本発明の防水シールドコネクタは、請求項１又は２に記載の樹脂成型品であるコネクタハウジングと、導電路の端末に設けられる端子金具と、前記コネクタハウジングの外側に設けられるとともに固定対象に前記コネクタハウジングを押し付けるように固定されるシールドシェルとを含むことを特徴とする。
【発明の効果】
【００１２】
請求項１に記載された本発明によれば、樹脂成型に使用する樹脂材料としてポリフェニレンサルファイド（ＰＰＳ）樹脂を用いることにより、シール部が樹脂成型品本体部に一体化する構造の樹脂成型品を提供することができるという効果を奏する。本発明によれば、一体化によりシール部の脱落がなくなることから、また、シール部の取り付け作業もなくなることから、シール構造部分での脱落防止と作業性向上とを図ることができるという効果を奏する。この他、本発明によれば、シール部が樹脂成型品本体部に一体化する構造であることから、従来と比べて部品点数の削減を図ることができ、作業性向上の効果と合わせると、十分なコスト低減を図ることができるという効果も奏する。
【００１３】
請求項２に記載された本発明によれば、環状の面シールの部分をコネクタハウジング本体に一体化させてなるコネクタハウジングを樹脂成型品として提供することができるという効果を奏する。
【００１４】
請求項３に記載された本発明によれば、請求項１又は２に記載の樹脂成型品をコネクタハウジングとして構成に含む防水シールドコネクタであることから、シール構造部分での脱落防止と作業性向上とを図ることができるという効果や、十分なコスト低減を図ることができるという効果を奏する。本発明によれば、シール部材レス（パッキンレス）の防水シールドコネクタとして提供をすることができるという効果を奏する。
【図面の簡単な説明】
【００１５】
【図１】本発明に係る概略図であり、（ａ）は樹脂成型品の斜視図、（ｂ）は固定対象の間に配置した状態の樹脂成型品の側面図である（実施例１）。
【図２】コネクタハウジングの斜視図である（実施例２）。
【図３】防水シールドコネクタの斜視図である（実施例３）。
【発明を実施するための形態】
【００１６】
樹脂成型品は、ポリフェニレンサルファイド（ＰＰＳ）樹脂を用いて全体が成型され、シール部が樹脂成型品本体部に一体化するものになる。樹脂成型品は、樹脂成型品本体部がコネクタハウジング本体であるとすると、環状の面シールの部分が一体化したコネクタハウジングになる。このようなコネクタハウジングを構成に含む防水シールドコネクタは有用である。
【実施例１】
【００１７】
以下、図面を参照しながら実施例１を説明する。図１は本発明に係る概略図であり、（ａ）は樹脂成型品の斜視図、（ｂ）は固定対象の間に配置した状態の樹脂成型品の側面図である。
【００１８】
図１において、引用符号１は樹脂成型品を示している。樹脂成型品１は、一部品からなるものであって、ポリフェニレンサルファイド（ＰＰＳ）樹脂を用いて全体が成型されている。樹脂成型品１は、特に限定するものでないが、本実施例において筒状となる形状に形成されている。このような樹脂成型品１は、筒形状の樹脂成型品本体部２と、この樹脂成型品本体部２の端末に一体成型されるシール部３とを有している。シール部３は、例えば壁状に形成される固定対象４に対するシール構造部分であって、固定対象４に貫通する穴５を一周囲む環状の面シールの部分に形成されている。シール部３は、面シールの部分であることから、平坦な面で密着することができるように形成されている。シール部３は、穴５の周囲に押し付けられて密着した状態になると、外部からの水分や油分の浸入を防止することができるようになっている。
【００１９】
シール部３は、別部品となるシール部材でなく、樹脂成型品本体部２の端末に一体成型される部分であり、一体成型であってもシール構造部分として機能するのは、使用する樹脂材料がポリフェニレンサルファイド（ＰＰＳ）樹脂であるからである。ポリフェニレンサルファイド（ＰＰＳ）樹脂は、樹脂成型品本体部２として必要な剛性と、シール部３として必要なシール性の両方を兼ね備えることができる有用な樹脂材料である。ポリフェニレンサルファイド（ＰＰＳ）樹脂は、耐熱性及び耐油性に優れた樹脂材料である。
【００２０】
例えば自動車に搭載される様々な樹脂部品にあっては、使用する樹脂材料としてアクリル系樹脂、ＡＢＳ（アクリロニトリル−ブタジエン−スチレン共重合体）系樹脂、ＰＣ（ポリカーボネート）系樹脂、ＰＶＣ（ポリ塩化ビニル）系樹脂、ポリエチレン、ポリプロピレン等のオレフィン系樹脂、ＰＥＩ（ポリエーテルイミド）系樹脂、ＰＢＴ（ポリブチレンテレフタレート）系樹脂、ＰＰＳ（ポリフェニレンサルファイド）系樹脂、ＡＢＳ／塩化ビニルのアロイ、アクリル／塩化ビニルのアロイ、ポリエステルエラストマー、或いはＰＢＴとポリエーテルとのブロック共重合体などを挙げることができるが、シール構造部分としての機能を有した状態でシール部３を樹脂成型品本体部２の端末に一体成型するにあたっては、ポリフェニレンサルファイド（ＰＰＳ）樹脂が最適な樹脂材料であり、これが採用されている（実施例１〜３で採用されている）。
【００２１】
尚、ポリフェニレンサルファイド（ＰＰＳ）樹脂に若干のゴム材を混入して使用することも有効であるものとする。
【００２２】
以上、図１を参照しながら説明してきたように、樹脂成型品１は、固定対象４に対するシール構造部分として機能するシール部３が樹脂成型品本体部２の端末に一体化する構造であることから、当然にシール部３が脱落することはなく、また、シール部３を取り付ける作業をすることもない。従って、シール構造部分での脱落防止と作業性向上とを図ることができるという効果を奏する。また、シール部３が樹脂成型品本体部２の端末に一体化する構造であることから、従来と比べて部品点数の削減を図ることができ、上記の作業性向上の効果と合わせると、十分なコスト低減を図ることができるという効果も奏する。
【実施例２】
【００２３】
以下、図面を参照しながら実施例２を説明する。図２はコネクタハウジングの斜視図である。
【００２４】
図２において、引用符号１１は樹脂成型品であるコネクタハウジングを示している。コネクタハウジング１１は、一部品からなるものであって、ポリフェニレンサルファイド（ＰＰＳ）樹脂を用いて全体が成型されている。コネクタハウジング１１は、コネクタハウジング本体１２（樹脂成型品本体部）と、このコネクタハウジング本体１２に一体成型されるシール部１３とを有している。
【００２５】
コネクタハウジング本体１２は、本実施例において三つの端子収容部１４と、環状のフランジ部１５とを有している。三つの端子収容部１４は、横一列に並ぶように配置されており、これらの結部分には可撓性を有する係止アーム１６が形成されている。各端子収容部１４の後端は、端子挿入部分として開口形成されている。また、前端は、図示しない端子金具における電気接触部の突出部分であって、長方形状に開口する開口部１７を有している。各端子収容部１４の内部は、上記端子金具や図示しない導電路の端末に対する収容部分であって、中空となる形状に形成されている。各端子収容部１４における引用符号１８は、図示しない端子係止部材に対する嵌合部を示している。
【００２６】
フランジ部１５は、係止アーム１６と嵌合部１８との間に位置するように配置形成されている。フランジ部１５は、三つ並んだ端子収容部１４を一周囲む環状のフランジ部分として形成されている。このようなフランジ部１５の主に後端側は、図示しないシールドシェルを支持する部分として形成されている。シールドシェルは、フランジ部１５により支持されるとともに係止アーム１６により係止されるようになっている。
【００２７】
シール部１３は、実施例１と同様にシール構造部分として機能する部分であって、フランジ部１５の前端に一体成型されている。シール部１３は、環状の面シールの部分に形成されている。シール部１３は、面シールの部分であることから、平坦な面で密着することができるように形成されている。シール部１３は、押し付けられて密着した状態になると、外部からの水分や油分の浸入を防止することができるようになっている。
【００２８】
シール部１３は、別部品となるシール部材でなく、コネクタハウジング本体１２に一体成型される部分であり、一体成型であってもシール構造部分として機能するのは、実施例１と同様に使用する樹脂材料がポリフェニレンサルファイド（ＰＰＳ）樹脂であるからである。
【００２９】
以上、図２を参照しながら説明してきたように、コネクタハウジング１１は、シール構造部分として機能するシール部１３がコネクタハウジング本体１２に一体化する構造であることから、当然にシール部１３が脱落することはなく、また、シール部１３を取り付ける作業をすることもない。従って、シール構造部分での脱落防止と作業性向上とを図ることができるという効果を奏する。また、シール部１３がコネクタハウジング本体１２に一体化する構造であることから、従来と比べて部品点数の削減を図ることができ、上記の作業性向上の効果と合わせると、十分なコスト低減を図ることができるという効果も奏する。
【実施例３】
【００３０】
以下、図面を参照しながら実施例３を説明する。図３は防水シールドコネクタの斜視図である。
【００３１】
図３において、引用符号２１は図示しない高圧のワイヤハーネスの端末に設けられる防水シールドコネクタを示している。防水シールドコネクタ２１は、例えばインバータ等の図示しない機器（固定対象）に接続固定されるものであり、接続固定部分から機器内部へ水分や油分が浸入してしまわないようにすることができる防水構造を有している。
【００３２】
防水シールドコネクタ２１は、実施例２で説明したＰＰＳ製のコネクタハウジング１１と、三本の高圧電線２２（導電路）の各端末に設けられる導電性の端子金具２３と、コネクタハウジング１１の外側に支持係止される導電性のシールドシェル２４と、図示しない電磁シールド部材の端末を固定するためのシールドリング２５と、コネクタハウジング１１に嵌合して端子金具２３を係止する端子係止部材２６と、コネクタハウジング１１の後端に嵌合するリアホルダ２７とを含んで構成されている。
【００３３】
シールドシェル２４は、図示しない機器（固定対象）にコネクタハウジング１１のシール部１３を押し付けることができるように形成されている。シールドシェル２４には、ボルト止め用の固定部２８が複数形成されている。
【００３４】
以上、図３を参照しながら説明してきたように、防水シールドコネクタ２１は、コネクタハウジング１１を構成に含むことから、シール構造部分での脱落防止と作業性向上とを図ることができるという効果や、十分なコスト低減を図ることができるという効果を奏する。
【００３５】
この他、本発明は本発明の主旨を変えない範囲で種々変更実施可能なことは勿論である。
【符号の説明】
【００３６】
１…樹脂成型品、  ２…樹脂成型品本体部、  ３…シール部、  ４…固定対象、  ５…穴、  １１…コネクタハウジング（樹脂成型品）、  １２…コネクタハウジング本体（樹脂成型品本体部）、  １３…シール部、  １４…端子収容部、  １５…フランジ部、  １６…係止アーム、  １７…開口部、  １８…嵌合部、  ２１…防水シールドコネクタ、  ２２…高圧電線（導電路）、  ２３…端子金具、  ２４…シールドシェル、  ２５…シールドリング、  ２６…端子係止部材、  ２７…リアホルダ、  ２８…固定部
【図１】
2013143221.tif 000003
【図２】
2013143221.tif 000004
【図３】
2013143221.tif 000005